(57)【要約】  【課題】単一枚で所要の強度を有する保護網とすることで該保護網のコスト低減を図り、固定用溝に対する保護網の止着強度を十分に高めて吸気口からポンプ内に大気が突入したときの保護網のポンプ内側へのたわみを抑えてポンプ内機器への接触を防止するとともに保護網の落下を防止し、吸気口の部位への保護網の取付けが容易で且つ取外しも容易とする。  【解決手段】吸気口４の内周部に凹設された固定用溝７に保護網１２の周縁部に形成されたリム１２ａを嵌入し、さらに固定用溝７には止め輪８を押し込むことにより吸気口４の部位に保護網１２を張設する真空ポンプ用の保護網であって、前記リム１２ａの所々に止め輪８に係止される係止部１２ｄをリム１２ａに対しほぼ直角に立設させた。
2012070282.tif 000002
【特許請求の範囲】
【請求項１】
真空ポンプにおける吸気口の内周部に凹設された固定用溝に保護網の周縁部に形成されたリムを嵌入し、さらに前記固定用溝に止め輪を押し込むことにより前記吸気口の部位に前記保護網を張設するようにした真空ポンプ用の保護網であって、
前記リムの所々に前記止め輪に係止される係止部を前記リムに対しほぼ直角に立設させたことを特徴とする真空ポンプ用の保護網。
【請求項２】
上記保護網は、金網部と、上記リムの内側に架け渡された補強用のリブ部とを備えるとともに前記金網部と前記リブ部とは単一枚の部材で形成されていることを特徴とする請求項１記載の真空ポンプ用の保護網。
【請求項３】
請求項１又は２記載の真空ポンプ用の保護網を備えたことを特徴とする真空ポンプ。
【発明の詳細な説明】
【技術分野】
【０００１】
本発明は、真空ポンプ用の保護網及びそれを備えた真空ポンプに関するものであり、特に、固定用溝に対する保護網の止着強度を十分に高めて吸気口からポンプ内に大気が突入したときの保護網のポンプ内側へのたわみを十分に抑えることが可能な真空ポンプ用の保護網及びそれを備えた真空ポンプに関するものである。
【背景技術】
【０００２】
従来から、ターボ分子ポンプをはじめとする高速回転型の真空ポンプにおいては、ケーシング上端部のフランジ部内側に形成されている吸気口から異物がポンプ機器内の回転体に侵入しないように、その吸気口に異物侵入防止用の保護網が装着されている。前記フランジ部がＩＳＯ規格のフランジの場合、スペースの問題から、保護網は吸気口の部位にねじ止めにより固定することができない。また、保護網は、所定の強度がないと、吸気口からポンプ内に大気が突入したときポンプ内側にたわんで回転翼等のポンプ内機器に接触してポンプ故障を生じさせるおそれがある。このため、保護網には所定の強度が求められている。【０００３】
このような事情において、真空ポンプ用の保護網及び該保護網の吸気口の部位への固定構造の第１の従来技術としては、例えば、図６〜図８の（ａ）、（ｂ）に示すようなものがある。図６は、周縁部に該周縁部に沿った周縁リム１ａが形成された金網１を示し、図７は、周縁部の周縁プレート部２ａと該周縁プレート部２ａの内側に架け渡された十字状のリブ部２ｂとを備えた金属製の補強プレート２を示している。真空ポンプ用の保護網は、この別部品として形成された金網１と補強プレート２とを重ねあわせて適宜にスポット溶接を施し、この両部品を一体とした複合部品により形成されている。【０００４】
図８の（ａ）、（ｂ）は、金網１と補強プレート２との複合部品として形成された保護網３の吸気口４の部位への固定構造を示している。真空ポンプにおけるケーシング５上部のフランジ部６内側には環状の固定用溝７が凹設されている。上記の複合部品からなる保護網３は、周縁リム１ａと周縁プレート部２ａとの重合部が固定用溝７に嵌め入れられ、さらに環状の止め輪８が押し込まれて、保護網３が吸気口４の部位に固定されている。該吸気口４の部位に固定された保護網３の直ぐ下方における真空ポンプ内には、ロータ９に展設された回転翼１０が備えられている（図８（ａ））。【０００５】
また、図９は、真空ポンプ用の保護網及び該保護網の吸気口の部位への固定構造の第２の従来技術を示している。この従来技術では、真空ポンプ用の保護網１１が一つの部品で実現され、該保護網１１における鍔部の部分が所要角度だけ傾斜状に立ち上げられて傾斜状鍔部１１ａが形成されている。該傾斜状鍔部１１ａは、その高さｈが固定用溝７の嵌入幅（図９における上下方向幅）に対応した高さに形成され、止め輪を用いずに、この傾斜状鍔部１１ａの部分を固定用溝７に押し込むことにより、該傾斜状鍔部１１ａが固定用溝７に緊合して保護網１１が吸気口４の部位に固定されている。【０００６】
吸気口４からポンプ内に大気が突入したとき、傾斜状鍔部１１ａは、図９中、仮想線で示すような変形傾向が生じて該傾斜状鍔部１１ａの上縁部が固定用溝７内の上面に緊密に接して保護網１１の落下が防止されるとともに該保護網１１がポンプ内側にたわむのが抑えられる。【０００７】
上記のような真空ポンプ用の保護網に関連する従来技術として、例えば、次のような真空ポンプが知られている。この従来技術は、ターボ分子ポンプ型の真空ポンプの基体をなすベースの下方フランジ部にケーシング基部がねじ止めにより固定されている。ケーシング中央部の回転軸の上端にはロータが取付けられ、このロータにケーシングの内周側に向けて回転翼が一定の間隔を有して放射状に展設されている。他方、ケーシングの内周側にはリング状のスペーサが積層状に多段に配設され、各スペーサ間に基部が挟持された固定翼がロータ側に向けて延設されている。このように回転翼と固定翼とが、それぞれ交互に内側と外側から重なり合ってターボ機構が構成されている。保護網は、吸気口の部位に装着するために周囲に環状の板（リング）が形成され、この環状のリング部がケーシング上部の段部と最上段スペーサとの間に挟持されて吸気口の部位に保持されている（例えば、特許文献１参照）。
【先行技術文献】
【特許文献】
【０００８】
【特許文献１】特開平１１−２４７７９０号公報
【発明の概要】
【発明が解決しようとする課題】
【０００９】
第１の従来技術においては、保護網が、別部品として形成された金網と補強プレートとを重ね合わせた複合部品により形成されていたため、コスト高についていた。また、吸気口の部位への固定構造が、金網側の周縁リムと補強プレート側の周縁プレート部とを重合させた偏平形状部分を固定用溝に嵌入し、この後、止め輪を押し込むことにより行われていた。このため、固定用溝に対する保護網の止着強度が不十分になり易く、吸気口からポンプ内に突入する大気の勢いによっては、保護網のポンプ内側へのたわみ量が大きくなってポンプ内機器に接触するおそれがあるとともに、固定用溝への嵌入部が外れて保護網が落下するおそれもあった。【００１０】
第２の従来技術においては、傾斜状鍔部の高さｈを固定用溝の嵌入幅に対応した高さに形成し、この傾斜状鍔部の部分を固定用溝に押し込むことにより、該傾斜状鍔部を固定用溝に緊合させて保護網を吸気口の部位に固定するようにしている。このため、傾斜状鍔部の傾斜角度及び高さｈの寸法管理等が難しく、また、傾斜状鍔部を固定用溝に押込んで該傾斜状鍔部を固定用溝に緊合させる作業もかなりの難しさを伴い、このような点でコスト高を招いていた。【００１１】
特許文献１に記載の従来技術においては、ケーシングの内周側にリング状のスペーサが積層状に多段に配設され、保護網は、その環状のリング部が最上段スペーサとケーシング上部の段部との間に挟持されて吸気口の部位に固定されている。このため、保護網の交換時等で、保護網の取外しが必要とされる場合は、ベースの下方フランジ部に対するケーシング基部のねじ止めを外してケーシングを引き抜く等の大変な作業が必要となる。【００１２】
そこで、単一枚で所要の強度を有する保護網とすることで該保護網のコスト低減を図り、固定用溝に対する保護網の止着強度を十分に高めて吸気口からポンプ内に大気が突入したときの保護網のポンプ内側へのたわみを抑えてポンプ内機器への接触を防止するとともに保護網の落下を防止し、吸気口の部位への保護網の取付けが容易で且つ取外しも容易とするために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、真空ポンプにおける吸気口の内周部に凹設された固定用溝に保護網の周縁部に形成されたリムを嵌入し、さらに前記固定用溝に止め輪を押し込むことにより前記吸気口の部位に前記保護網を張設するようにした真空ポンプ用の保護網であって、前記リムの所々に前記止め輪に係止される係止部を前記リムに対しほぼ直角に立設させた真空ポンプ用の保護網を提供する。【００１４】
この構成によれば、リムの所々に該リムに対しほぼ直角に立設された係止部が止め輪に係止されて固定用溝に対する保護網の止着強度が十分に強固なものになる。したがって吸気口からポンプ内に大気が突入したとき保護網のポンプ内側へのたわみが抑えられるとともに保護網の落下が防止される。【００１５】
請求項２記載の発明は、請求項１記載の発明において、上記保護網は、金網部と、上記リムの内側に架け渡された補強用のリブ部とを備えるとともに前記金網部と前記リブ部とは単一枚の部材で形成されている真空ポンプ用の保護網を提供する。【００１６】
この構成によれば、保護網を、金網部と補強用のリブ部とを一体として形成したことで保護網自身の強度が高められて、吸気口からポンプ内に大気が突入したときの保護網のポンプ内側へのたわみが一層確実に抑えられる。【００１７】
請求項３記載の発明は、請求項１又は２記載の真空ポンプ用の保護網を備えた真空ポンプを提供する。【００１８】
この構成によれば、固定用溝に対する止着強度が十分に強固で、且つ保護網自身の強度も高められた保護網が吸気口の部位に張設されている。したがって吸気口からポンプ内に大気が突入したときの保護網のポンプ内側へのたわみが確実に抑えられる。
【発明の効果】
【００１９】
請求項１記載の発明は、固定用溝に対する保護網の止着強度を十分に高めることができる。この結果、吸気口からポンプ内に大気が突入したときの保護網のポンプ内側へのたわみを抑えることができて、ポンプ内機器への接触を防止することができるとともに保護網の落下を防止することができる。また、リムに対しほぼ直角に立設させた係止部自身を固定用溝に押込んで該係止部を固定用溝に緊合させるのではないので、吸気口の部位への保護網の取付けが容易で且つ取外しも容易になるという利点がある。【００２０】
請求項２記載の発明は、請求項１記載の発明の効果に加えてさらに、保護網を、別部品として形成された金網と補強プレートとを重ね合わせた複合部品として形成することなく、単一枚で所要の強度としたことで保護網のコスト低減を図ることができるという利点がある。【００２１】
請求項３記載の発明は、固定用溝に対する止着強度が十分に強固で、且つ保護網自身の強度も高められた保護網が吸気口の部位に張設されていることで、吸気口からポンプ内に大気が突入したときの保護網のポンプ内側へのたわみを確実に抑えることができて保護網が回転翼等のポンプ内機器に接触することによるポンプ故障を防止することができるという利点がある。
【図面の簡単な説明】
【００２２】
【図１】本発明の一実施例として示す真空ポンプの縦断面図。
【図２】本発明の実施例に係る真空ポンプ用の保護網に適用される保護網の平面図。
【図３】図２の保護網における係止部部分の拡大図であり、（ａ）は正面方向から見た斜視図、（ｂ）は側面方向から見た斜視図。
【図４】図２の保護網を固定用溝に止着する際に用いられる止め輪の平面図。
【図５】図２の保護網の吸気口の部位への固定構造を一部省略して示す横断面図。
【図６】第２の従来技術における金網の平面図。
【図７】同上従来技術における補強プレートの平面図。
【図８】同上従来技術における保護網の吸気口の部位への固定構造を示す図であり、（ａ）は固定構造の全体を示す横断面図、（ｂ）は図（ａ）における固定用溝への保護網の止着部分を拡大して示す横断面図。
【図９】第２の従来技術における固定用溝への保護網の止着部分を示す横断面図。
【発明を実施するための形態】
【００２３】
本発明は、単一枚で所要の強度を有する保護網とすることで該保護網のコスト低減を図り、固定用溝に対する保護網の止着強度を十分に高めて吸気口からポンプ内に大気が突入したときの保護網のポンプ内側へのたわみを抑えてポンプ内機器への接触を防止するとともに保護網の落下を防止し、吸気口の部位への保護網の取付けが容易で且つ取外しも容易とするという目的を達成するために、真空ポンプにおける吸気口の内周部に凹設された固定用溝に保護網の周縁部に形成されたリムを嵌入し、さらに前記固定用溝に止め輪を押し込むことにより前記吸気口の部位に前記保護網を張設するようにした真空ポンプ用の保護網であって、前記リムの所々に前記止め輪に係止される係止部を前記リムに対しほぼ直角に立設させることにより実現した。
【実施例１】
【００２４】
以下、本発明の好適な実施例を図２乃至図５を参照して説明する。なお、図４及び図５において、前記図８の（ａ）、（ｂ）における構成要素と同一ないし均等のものは、前記と同一符合を以って示し、重複した説明を省略する。   【００２５】
図１は本発明に係る真空ポンプの縦断面図である。
図１において、真空ポンプ１００は、吸気口１１０と排気口１２０とを有する筐体１３０を備えている。該筐体１３０内には、上部にターボ分子ポンプ部１４０と、その下方に円筒形のネジ溝ポンプ部１５０が設けられているとともに、該ターボ分子ポンプ部１４０内と該ネジ溝ポンプ部１５０内を通って前記吸気口１１０と前記排気口１２０を連通してなる排気経路２４０が形成されている。【００２６】
前記排気通路２４０は、より具体的には、前記ターボ分子ポンプ部１４０の後述する相対向しているロータ１７０の外周面と前記筐体１３０の内周面との間の隙間、及び前記ネジ溝ポンプ部１５０の後述する円筒ロータ２１０の外周面とステータ２３０の内周面との間の隙間を相互に連通させるとともに、前記ターボ分子ポンプ部１４０側の隙間上端側を前記吸気口１１０に連通させ、かつ、前記ネジ溝ポンプ部１５０側の隙間下端側を前記排気口１２０に連通して形成されている。【００２７】
前記ターボ分子ポンプ部１４０は、回転軸１６０に固設されたアルミ合金製のロータ１７０の外周面に突設された多数の回転翼１８０，１８０…と、前記筐体１３０の内周面に突設された多数の固定翼１９０，１９０…との組み合わせからなる。【００２８】
前記ネジ溝ポンプ部１５０は、前記ターボ分子ポンプ部１４０におけるロータ１７０の下端部の円筒ロータ２１０と、該円筒ロータ２１０の外周と小隙間を有して対向し、該小隙間と共に前記排気経路２４０の一部を形成してなるネジ溝２２０が設置されたステータ２３０とからなる。該ネジ溝２２０は、下方へ行くに従って深さが浅くなるようにして形成されている。また、該ステータ２３０は、前記筐体１３０の内面に固定されている。そして、前記ネジ溝２２０の下端は前記排気経路２４０の最下流側において前記排気口１２０に連通される。【００２９】
また、前記回転軸１６０の中間部には、モータ筐体２５０内に設けられたインダクションモータ等の高周波モータ２６０のモータロータ２６０ａが固定されている。該回転軸１６０は、磁気軸受で支承され、上部及び下部に保護軸受２７０，２７０が設けられている。【００３０】
次に、図１に示す真空ポンプの動作について説明する。前記高周波モータ２６０の駆動によって前記吸気口１１０から流入した気体は、分子流あるいはそれに近い中間流状態にあり、その気体分子は前記ターボ分子ポンプ部１４０の回転する前記回転翼１８０，１８０…と前記筐体１３から突設した前記固定翼１９０，１９０・・・との作用より、下方向に運動量が与えられ、該回転翼１８０，１８０…の高速回転に伴って下流側へ気体が圧縮移動する。【００３１】
また、圧縮移動された気体は、前記ネジ溝ポンプ部１５０において、回転する前記円筒ロータ２１０と、小間隙を有して形成された前記ステータ２３０に沿って下流に行くにしたがって深さが浅くなる前記ネジ溝２２０とに導かれるようにして、粘性流状態まで圧縮されながら前記排気通路２４０内を流れ、前記排気口１２０から排出される。【００３２】
次に、本実施例に係る真空ポンプ用の保護網の構成を説明する。図２乃至図４において、本実施例における保護網１２は、１枚の金属板にエッチング処理を施すことにより、周縁部にリム１２ａを備えた金網部１２ｂと前記リム１２ａの内側に架け渡された補強用の十字状のリブ部１２ｃとが一体となった単一枚で形成されている。金網部１２ｂには、例えば蜂の巣状に多数の六角孔が穿孔されている。【００３３】
前記リム１２ａの所々には、後述する止め輪に係止される係止部１２ｄが、図３の（ａ）、（ｂ）に示すように、該リム１２ａに対しほぼ直角に立設されている。係止部１２ｄは、前記エッチング処理の際に、リム１２ａから外方に突出した突出部を形成し、該突出部をリム１２ａに対しほぼ直角に折曲げることにより形成されている。図２に示すように、係止部１２ｄは、保護網１２の周縁部に、２個を一組とした四組がそれぞれ等間隔をおいて形成されている。【００３４】
図４は、止め輪８を示している。止め輪８は、一部が切り欠かれ、その切欠部８ａに適宜の間隙が形成されている。【００３５】
次に、図５を用いて上述のように構成された真空ポンプ用の保護網の吸気口の部位への固定及び作用を説明する。リム１２ａの外縁には、該リム１２ａに対し、ほぼ直角に係止部１２ｄが立設されている。このようなリム１２ａを吸気口４の内周部に凹設された固定用溝７に嵌入し、さらに該固定用溝７に止め輪８を押し込む。【００３６】
このとき、止め輪８は、その切欠部８ａの部分に形成されている間隙が縮減するように固定用溝７に押し込まれることで拡開傾向が生じ、この拡開傾向が係止部１２ｄを、さらに押し込むように作用して該係止部１２ｄを備えたリム１２ａが、固定用溝７に強固に止着される。このような係止部１２ｄを備えたリム１２ａ部分の固定用溝７への止着態様により保護網１２が吸気口４の部位に固定される。【００３７】
また、保護網１２は、金網部１２ｂと補強用のリブ部１２ｃとが一体に形成されていることで保護網１２自身も強度が高められている。したがって吸気口４からポンプ内に大気が突入したとき保護網１２のポンプ内側へのたわみが十分に抑えられるとともに保護網１２の落下が防止される。【００３８】
前述したように、係止部１２ｄは、保護網１２の周縁部に、２個を一組とした四組がそれぞれ等間隔をおいて形成され、この四組の部分の係止部１２ｄが止め輪８で押し込まれて固定用溝７に止着されている。また、係止部１２ｄ自身を固定用溝７に押込んで該係止部１２ｄを固定用溝７に緊合させて止着しているのではなく、係止部１２ｄを止め輪８で押込んで止着しているので、止め輪８の取付け又は取外しのみで吸気口４の部位への保護網１２の取付け及び取外しが容易になる。【００３９】
上述したように、本実施例に係る真空ポンプ用の保護網及びそれを備えた真空ポンプにおいては、保護網１２を、別部品として形成された金網と補強プレートとを重ね合わせた複合部品として形成することなく、単一枚で金網部１２ｂと補強用の十字状のリブ部１２ｃとを一体に形成して所要の強度としたことで保護網１２のコスト低減を図ることができる。【００４０】
固定用溝７に対する保護網１２の止着強度を十分に高めることができる。この結果、吸気口４からポンプ内に大気が突入したときの保護網１２のポンプ内側へのたわみを抑えることができて、保護網１２が回転翼等のポンプ内機器に接触することによるポンプ故障を防止することができるとともに保護網１２の落下を防止することができる。【００４１】
リム１２ａに対しほぼ直角に立設させた係止部１２ｄ自身を固定用溝７に押込んで該係止部１２ｄを固定用溝７に緊合させるのではないので、吸気口４の部位への保護網１２の取付けが容易で且つ取外しも容易になる。【００４２】
なお、本発明は、本発明の精神を逸脱しない限り種々の改変をなすことができ、そして、本発明が該改変されたものにも及ぶことは当然である。
【産業上の利用可能性】
【００４３】
単一枚で所要の強度を有する保護網とすることで該保護網のコスト低減を図り、固定用溝に対する保護網の止着強度を十分に高めて吸気口から気体吸入機構内に大気が突入したときの保護網の気体吸入機構内側へのたわみを抑えて気体吸入機構内機器への接触を防止するとともに保護網の落下を防止し、吸気口の部位への保護網の取付けが容易で且つ取外しも容易とすることが不可欠な気体吸入機構全般に広く適用することが可能である。
【符号の説明】
【００４４】
１      金網
２      補強プレート
３      保護網（従来）
４      吸気口
５      ケーシング
６      フランジ部
７      固定用溝
８      止め輪
９      ロータ
１０      回転翼
１１      保護網（従来）
１２      保護網
１２ａ    リム
１２ｂ    金網部  
１２ｃ    リブ部
１２ｄ    係止部
１００    真空ポンプ
１１０    吸気口
１２０    排気口
１３０    筐体
１４０    ターボ分子ポンプ部
１５０    ネジ溝ポンプ部
１６０    回転軸
１７０    ロータ
１８０    回転翼
１９０    固定翼
２１０    円筒ロータ
２２０    ネジ溝
２３０    ステータ
２４０    排気通路
２５０    モータ筐体
２６０    高周波モータ
２６０ａ  モータロータ
２７０    保護軸受
【図１】
2012070282.tif 000003
【図２】
2012070282.tif 000004
【図３】
2012070282.tif 000005
【図４】
2012070282.tif 000006
【図５】
2012070282.tif 000007
【図６】
2012070282.tif 000008
【図７】
2012070282.tif 000009
【図８】
2012070282.tif 000010
【図９】
2012070282.tif 000011
【国際調査報告】
2012070282.tif 000012
2012070282.tif 000013